(57)【要約】【課題】携帯電話機の周囲が静かであり、着信通知の着信音量を小さくしており、携帯電話機が携帯されず放置されている場合に、直ちに着信通知に気づくことを可能にする。【解決手段】着信時に着信音で着信通知を行う装置の着信通知システムに、音圧サンプルデータを保持する音圧サンプルデータ保持部111と、振動サンプルデータを保持する振動サンプルデータ保持部112と、装置の周囲の音圧を検出するマイク103と、装置の振動を検出する振動センサ104と、着信通知を行う着信検出部102と、着信音を鳴動するスピーカ105と、検出音圧と保持音圧サンプルデータを比較する音圧比較部113と、検出振動と保持振動サンプルデータを比較する振動比較部114と、検出音圧が保持音圧サンプルデータよりも小さく検出振動が振動サンプルデータよりも小さい場合着信通知時に着信音量を小の状態から大の状態に徐々にスピーカの鳴動を行う着信音量制御部101とを備える。【選択図】図１
2006325041.tif 000002
【特許請求の範囲】
【請求項１】
着信時に着信音で着信通知を行う装置の着信通知システムにおいて、
所定値の音圧サンプルデータを保持する音圧サンプルデータ保持部と、
所定値の振動サンプルデータを保持する振動サンプルデータ保持部と、
前記装置の周囲の音圧を検出するマイクロフォンと、
前記装置の振動を検出する振動センサと、
着信通知を行う着信検出部と、
着信音を鳴動するスピーカと、
前記マイクロフォンで検出された音圧と前記音圧サンプルデータ保持部に保持される音圧サンプルデータを比較する音圧比較部と、
前記振動センサで検出された振動と前記振動サンプルデータ保持部に保持される振動サンプルデータを比較する振動比較部と、
前記音圧比較部で前記マイクロフォンにより検出された音圧が前記音圧サンプルデータ保持部により保持された音圧サンプルデータよりも小さく、且つ、前記振動比較部で前記振動センサにより検出された振動が前記振動サンプルデータ保持部により保持された振動サンプルデータよりも小さい場合、着信通知があった際、着信音量を小の状態から大の状態に徐々に前記スピーカの鳴動を行う着信音量制御部とを備えることを特徴とする着信通知システム。
【請求項２】
前記着信音量制御部は、前記音圧比較部で前記マイクロフォンにより検出された音圧が前記音圧サンプルデータ保持部により保持された音圧サンプルデータよりも小さく、且つ、前記振動比較部で前記振動センサにより検出された振動が前記振動サンプルデータ保持部により保持された振動サンプルデータと等しいか又は大きい場合、着信通知があった際、着信音量を小の状態で前記スピーカの鳴動を行うことを特徴とする、請求項１に記載の着信通知システム。
【請求項３】
前記着信音量制御部は、前記音圧比較部で前記マイクロフォンにより検出された音圧が前記音圧サンプルデータ保持部により保持された音圧サンプルデータと等しいか又は大きい場合には、着信通知があった際、着信音量を大の状態で前記スピーカの鳴動を行うことを特徴とする、請求項１に記載の着信通知システム。
【請求項４】
着信時に着信音で着信通知を行う装置の着信通知方法において、
所定値の音圧サンプルデータを保持する工程と、
所定値の振動サンプルデータを保持する工程と、
前記装置の周囲の音圧を検出する工程と、
前記装置の振動を検出する工程と、
検出された音圧と保持される音圧サンプルデータを比較する工程と、
検出された振動と保持される振動サンプルデータを比較する工程と、
検出された音圧が保持された音圧サンプルデータよりも小さく、且つ、検出された振動が保持された振動サンプルデータよりも小さい場合、着信通知があった際、着信音量を小の状態から大の状態に徐々に着信音の鳴動を行う工程とを備えることを特徴とする着信通知方法。
【請求項５】
着信時に着信音で着信通知を行う装置の着信通知をコンピュータで実行するプログラムにおいて、
所定値の音圧サンプルデータを保持する手順と、
所定値の振動サンプルデータを保持する手順と、
前記装置の周囲の音圧を検出する手順と、
前記装置の振動を検出する手順と、
検出された音圧と保持される音圧サンプルデータを比較する手順と、
検出された振動と保持される振動サンプルデータを比較する手順と、
検出された音圧が保持された音圧サンプルデータよりも小さく、且つ、検出された振動が保持された振動サンプルデータよりも小さい場合、着信通知があった際、着信音量を小の状態から大の状態に徐々に着信音の鳴動を行う手順とを備えることを特徴とする着信通知をコンピュータで実行するプログラム。
【請求項６】
着信時に着信音で着信通知を行う携帯電話機において、
所定値の音圧サンプルデータを保持する音圧サンプルデータ保持部と、
所定値の振動サンプルデータを保持する振動サンプルデータ保持部と、
前記装置の周囲の音圧を検出するマイクロフォンと、
前記装置の振動を検出する振動センサと、
着信通知を行う着信検出部と、
着信音を鳴動するスピーカと、
前記マイクロフォンで検出された音圧と前記音圧サンプルデータ保持部に保持される音圧サンプルデータを比較する音圧比較部と、
前記振動センサで検出された振動と前記振動サンプルデータ保持部に保持される振動サンプルデータを比較する振動比較部と、
前記音圧比較部で前記マイクロフォンにより検出された音圧が前記音圧サンプルデータ保持部により保持された音圧サンプルデータよりも小さく、且つ、前記振動比較部で前記振動センサにより検出された振動が前記振動サンプルデータ保持部により保持された振動サンプルデータよりも小さい場合、着信通知があった際、着信音量を小の状態から大の状態に徐々に前記スピーカの鳴動を行う着信音量制御部とを備えることを特徴とする携帯電話機。
【発明の詳細な説明】
【技術分野】
【０００１】
本発明は着信通知機能を有する携帯電話機に関する。特に、本発明は、携帯電話機が携帯されていない場合の着信通知システム、方法、プログラムに関する。
【背景技術】
【０００２】
本発明の前提となる携帯電話機の着信通知システムでは、携帯電話機の周囲の音圧を検出し、周囲の音圧が大きく、雑音が大きい場合には、着信通知時の着信音量を大きくし、周囲の音圧が小さく、静かな場合には、着信通知時の着信音量を小さくしている。
これにより、周囲の雑音が大きい場合には着信音量を大きくし着信通知に気づかせるようにでき、周囲の雑音が小さい場合には着信音量を小さくし、着信通知がうるさくないようにする。
【０００３】
しかしながら、携帯電話機の周囲が静かで、着信通知の着信音量を小さくしている場合、携帯電話機が携帯されず放置されていると、着信通知に気づくまでに時間がかかるという問題があった。
このような問題に関連して以下の従来技術がある。
従来、携帯電話機の着信時に周囲の環境に応じて着信通知状態を自動的に制御するため、携帯電話機の着信時、周囲の騒音の音圧をマイクを用いて検出し、マイクにて検出した音圧データを音圧サンプリング手段によってサンプルし、そして、予め設定されている周囲環境の音圧サンプルデータと音圧サンプリング手段からの音圧データとを比較手段により比較し、この比較結果に基づいて着信通知手段判定手段はスピーカかバイブレータのいずれを使用するかを判定し、その判定によりスピーカを用いた音による着信通知が選択された場合には、呼出音量制御手段がスピーカの着信音量を周囲環境の音圧データのレベルに応じて制御するものがある（例えば、特許文献１参照）。
【０００４】
しかしながら、上記特許文献１では、周囲の音圧レベルに従って着信音の音量を変更する手段と、静かなときにある一定時間以内に応答しないと着信音をバイブレータから着信音に変更する手段について提供しているが、前述のように、携帯電話機の周囲が静かで、着信通知の着信音量を小さくしている場合、携帯電話機が携帯されず放置されていると、着信通知に気づくまでに時間がかかるという問題を解決するものではない。
【０００５】
また、従来、利用者の使用状況に応じた着信通知方法を自動的に選択して設定変更する携帯型電話装置および着信通知方法を提供するため、装置の周囲の音を検出する周囲音検出手段と、装置の振動を検出する振動検出手段と、周囲音と振動とからなる条件とその条件時に着信を通知するモードとを記述する着信通知モード情報を管理する着信通知モード管理手段と、周囲音検出手段が検出した周囲音と振動検出手段が検出した振動に基づき着信通知モード情報から着信通知モードを選択する着信通知モード選択手段と、着信通知モード選択手段により選択された着信通知モードに従い着信を通知する着信通知手段とを備えることにより、周囲音と振動とから得られた利用者の状況に応じた着信通知を自動的に選択することができるものもある（例えば、特許文献２参照）。
【０００６】
しかしながら、上記特許文献２では、周囲音と振動とから得られた利用者の状況に応じた着信通知を自動的に選択することができるものであるが、前述のように、携帯電話機の周囲が静かで、着信通知の着信音量を小さくしている場合、携帯電話機が携帯されず放置されていると、着信通知に気づくまでに時間がかかるという問題を解決するものではない。
【０００７】
また、従来、利用者が無線携帯情報端末から離れていても、利用者に着信したことを認知させることができる無線携帯情報端末を提供するため、制御部は、チャンネル端末ｃｈがアクティブであるか否かを検出することにより、当該ＰＨＳ端末が充電台に載置されているか否かを判断し、そして、充電台に載置されている場合には、ＲＡＭに記憶されているリンガ情報の音量を大、音量変化を徐々に大となるように書き換え、一方、充電台に載置されていない場合には、ＲＡＭに記憶されているリンガ情報を元に戻し、制御部は、着信すると、ＲＡＭに記憶されているリンガ情報に従って、ドライバを制御し、リンガから着信音を出力させ、したがって、利用者がＰＨＳ端末を充電台に載置して、離れたところにいた場合には、着信音の音量が自動的に大となるものもある（例えば、特許文献３参照）。
【０００８】
しかしながら、上記特許文献３では、利用者がＰＨＳ端末を充電台に載置して、離れたところにいた場合には、着信音の音量が自動的に大となるものであるが、前述のように、携帯電話機の周囲が静かで、着信通知の着信音量を小さくしている場合、携帯電話機が携帯されず放置されていると、着信通知に気づくまでに時間がかかるという問題を解決するものではない。
【０００９】
【特許文献１】特開平１０−３４１４６４号公報
【特許文献２】特開２００３−１３４１８９号公報
【特許文献３】特開平９−３３１３７６号公報
【発明の開示】
【発明が解決しようとする課題】
【００１０】
したがって、本発明は上記問題点に鑑みて、携帯電話機の周囲が静かで、着信通知の着信音量を小さくしている場合、携帯電話機が携帯されず放置されていると、直ちに着信通知に気づくことを可能にする着信通知システム、方法、プログラム及び携帯電話機を提供することを目的とする。
【課題を解決するための手段】
【００１１】
本発明は前記問題点を解決するために、着信時に着信音で着信通知を行う装置の着信通知システムにおいて、所定値の音圧サンプルデータを保持する音圧サンプルデータ保持部と、所定値の振動サンプルデータを保持する振動サンプルデータ保持部と、前記装置の周囲の音圧を検出するマイクロフォンと、前記装置の振動を検出する振動センサと、着信通知を行う着信検出部と、着信音を鳴動するスピーカと、前記マイクロフォンで検出された音圧と前記音圧サンプルデータ保持部に保持される音圧サンプルデータを比較する音圧比較部と、前記振動センサで検出された振動と前記振動サンプルデータ保持部に保持される振動サンプルデータを比較する振動比較部と、前記音圧比較部で前記マイクロフォンにより検出された音圧が前記音圧サンプルデータ保持部により保持された音圧サンプルデータよりも小さく、且つ、前記振動比較部で前記振動センサにより検出された振動が前記振動サンプルデータ保持部により保持された振動サンプルデータよりも小さい場合、着信通知があった際、着信音量を小の状態から大の状態に徐々に前記スピーカの鳴動を行う着信音量制御部とを備えることを特徴とする着信通知システムを提供する。
【００１２】
さらに、前記着信音量制御部は、前記音圧比較部で前記マイクロフォンにより検出された音圧が前記音圧サンプルデータ保持部により保持された音圧サンプルデータよりも小さく、且つ、前記振動比較部で前記振動センサにより検出された振動が前記振動サンプルデータ保持部により保持された振動サンプルデータと等しいか又は大きい場合、着信通知があった際、着信音量を小の状態で前記スピーカの鳴動を行う。
【００１３】
さらに、前記着信音量制御部は、前記音圧比較部で前記マイクロフォンにより検出された音圧が前記音圧サンプルデータ保持部により保持された音圧サンプルデータと等しいか又は大きい場合には、着信通知があった際、着信音量を大の状態で前記スピーカの鳴動を行うことを特徴とする、請求項１に記載の着信通知システム。
さらに、本発明は、着信時に着信音で着信通知を行う装置の着信通知方法において、所定値の音圧サンプルデータを保持する工程と、所定値の振動サンプルデータを保持する工程と、前記装置の周囲の音圧を検出する工程と、前記装置の振動を検出する工程と、検出された音圧と保持される音圧サンプルデータを比較する工程と、検出された振動と保持される振動サンプルデータを比較する工程と、検出された音圧が保持された音圧サンプルデータよりも小さく、且つ、検出された振動が保持された振動サンプルデータよりも小さい場合、着信通知があった際、着信音量を小の状態から大の状態に徐々に着信音の鳴動を行う工程とを備えることを特徴とする着信通知方法を提供する。
【００１４】
さらに、本発明は、着信時に着信音で着信通知を行う装置の着信通知をコンピュータで実行するプログラムにおいて、所定値の音圧サンプルデータを保持する手順と、所定値の振動サンプルデータを保持する手順と、前記装置の周囲の音圧を検出する手順と、前記装置の振動を検出する手順と、検出された音圧と保持される音圧サンプルデータを比較する手順と、検出された振動と保持される振動サンプルデータを比較する手順と、検出された音圧が保持された音圧サンプルデータよりも小さく、且つ、検出された振動が保持された振動サンプルデータよりも小さい場合、着信通知があった際、着信音量を小の状態から大の状態に徐々に着信音の鳴動を行う手順とを備えることを特徴とする着信通知をコンピュータで実行するプログラムを提供する。
【００１５】
さらに、本発明は、着信時に着信音で着信通知を行う携帯電話機において、所定値の音圧サンプルデータを保持する音圧サンプルデータ保持部と、所定値の振動サンプルデータを保持する振動サンプルデータ保持部と、前記装置の周囲の音圧を検出するマイクロフォンと、前記装置の振動を検出する振動センサと、着信通知を行う着信検出部と、着信音を鳴動するスピーカと、前記マイクロフォンで検出された音圧と前記音圧サンプルデータ保持部に保持される音圧サンプルデータを比較する音圧比較部と、前記振動センサで検出された振動と前記振動サンプルデータ保持部に保持される振動サンプルデータを比較する振動比較部と、前記音圧比較部で前記マイクロフォンにより検出された音圧が前記音圧サンプルデータ保持部により保持された音圧サンプルデータよりも小さく、且つ、前記振動比較部で前記振動センサにより検出された振動が前記振動サンプルデータ保持部により保持された振動サンプルデータよりも小さい場合、着信通知があった際、着信音量を小の状態から大の状態に徐々に前記スピーカの鳴動を行う着信音量制御部とを備えることを特徴とする携帯電話機を提供する。
【発明の効果】
【００１６】
以上説明したように、本発明によれば、所定値の音圧サンプルデータを保持し、所定値の振動サンプルデータを保持し、装置の周囲の音圧を検出し、装置の振動を検出し、着信通知を行い、着信音を鳴動し、検出された音圧と保持される音圧サンプルデータを比較し、検出された振動と保持される振動サンプルデータを比較し、検出された音圧が保持された音圧サンプルデータよりも小さく、且つ、検出された振動が保持された振動サンプルデータよりも小さい場合、着信通知があった際、着信音量を小の状態から大の状態に徐々に着信音の鳴動を行うようにしたので、携帯電話機の周囲が静かであっても、携帯せず放置してある状態が認識すると、使用者が近くに居ないことを考慮して、着信通知後直ちに着信音量を徐々に上げていくので、着信通知に気づくまでに時間がかからなくなる。
【発明を実施するための最良の形態】
【００１７】
本発明に係る携帯電話機の着信通知システムは携帯電話機の周囲が静かであっても携帯電話機が携帯されず放置されている状態を認識すると、使用者が近くにいないことを考慮して、直ちに着信音量を徐々に上げていくように、コンピュータで実行するプログラムで制御される。
以下、本発明の実施の形態について図面を参照して説明する。
【００１８】
図１は本発明に係る携帯電話機の着信通知システムの概略構成を示すブロック図である。本図に示すように、携帯電話機の着信通知システムには着信音量制御部１０１が設けられ、着信音量制御部１０１はＣＰＵ（中央演算装置）、メモリ等で構成され、着信検出部１０２、マイクロフォン１０３、音圧サンプルデータ保持部１０４、振動センサ１０５及びスピーカ１０６に接続され、これらの制御を行う。
【００１９】
ここに、着信検出部１０２は携帯電話機への着信呼を検出し着信通知を行う。
マイクロフォン１０３は着信時に携帯電話機の周囲の音圧を検出する。
振動センサ１０４は加速度を測定するセンサ、機械的に振動を測定するセンサであり、携帯電話機の振動を検出し、携帯電話機が携帯されているか放置されているかを検出する。携帯電話機が携帯されている場合には携帯電話機には振動が生じ、携帯されずに放置されている場合には携帯電話機には振動が発生しないためである。
【００２０】
スピーカ１０５は着信音を鳴動させる。
着信音量制御部１０１には音圧サンプルデータ保持部１１１、振動サンプルデータ保持部１１２、音圧比較部１１３、及び振動比較部１１４が設けられる。
ここに、音圧サンプルデータ保持部１１１はマイクロフォン１０３で検出した周囲の音圧と比較するために予め所定値の音圧サンプルデータを保持する。
【００２１】
振動サンプルデータ保持部１１２は振動センサ１０４で検出した振動と比較するために予め所定値の振動サンプルデータを保持する。
音圧比較部１１３はマイクロフォン１０３で検出された音圧と音圧サンプルデータ保持部１１１に保持されている音圧サンプルデータとの大きさの比較を行う。この比較で、マイクロフォン１０３で検出された音圧が音圧サンプルデータ保持部１１１に保持されている音圧サンプルデータよりも大きい場合には携帯電話機の周囲の騒音が大きいことを意味し、逆に小さい場合には携帯電話機の周囲が静かであることを意味する。
【００２２】
振動比較部１１４は振動比較部１１４で検出された振動と振動サンプルデータ保持部１１２に保持されている振動サンプルデータとの大きさの比較を行う。この比較で、振動比較部１１４で検出された振動が振動サンプルデータ保持部１１２に保持されている振動サンプルデータよりも大きい場合には携帯電話機はユーザにより携帯されている状態を意味し、逆に小さい場合には携帯電話機はユーザにより携帯されず放置されている状態を意味する。
【００２３】
図２はマイクロフォン１０３の検出音圧に対する着信音量制御部１０１の動作例を説明するタイムチャートである。
本図(ａ)に示すように、音圧比較部１１３でマイクロフォン１０３の検出音圧と音圧サンプルデータ保持部１１１の音圧サンプルデータとの比較が行われ、マイクロフォン１０３の検出音圧が音圧サンプルデータ保持部１１１の音圧サンプルデータよりも大きい場合に着信検出部１０２から着信があった際には、本図(ｂ)に示すように、着信音量制御部１０１は着信音量を大の状態でスピーカ１０５を鳴動させるように制御する。
【００２４】
逆に、本図(ａ)に示すように、マイクロフォン１０３の検出音圧が音圧サンプルデータ保持部１１１の音圧サンプルデータよりも小さい場合に着信検出部１０２から着信通知があった際には、本図(ｂ)に示すように、着信音量制御部１０１は着信音量を小の状態でスピーカ１０５を鳴動させるように制御する。
図３はマイクロフォン１０３の検出振動が小さい場合の着信音量制御部１０１の動作例を説明するタイムチャートである。
【００２５】
本図(ａ)に示すように、マイクロフォン１０３の検出音圧が音圧サンプルデータ保持部１１１の音圧サンプルデータよりも小さく、且つ、本図(ｂ)に示すように、振動センサ１０４の検出振動が振動サンプルデータ保持部１１２の振動サンプルデータよりも小さい場合に、本図(ｃ)に示すように、着信検出部１０２で着信検出が行われた際に、着信音量制御部１０１では、着信音量を小の状態から徐々に大の状態になるようにスピーカ１０５の鳴動を制御する。
【００２６】
図４はマイクロフォン１０３の検出振動が大きい場合の着信音量制御部１０１の動作例を説明するタイムチャートである。
本図(ａ)に示すように、マイクロフォン１０３の検出音圧が音圧サンプルデータ保持部１１１の音圧サンプルデータよりも小さく、且つ、本図(ｂ)に示すように、振動センサ１０４の検出振動が振動サンプルデータ保持部１１２の振動サンプルデータよりも大きい場合に、本図(ｃ)に示すように、着信検出部１０２から着信通知が行われた際に、着信音量制御部１０１では、着信音量を大の状態でスピーカ１０５を鳴動させるように制御する。
【００２７】
図５は着信音量制御部１０１の一連の動作例を説明するフローチャートである。本図に示すように、ステップ２０１において、着信音量制御部１０１では、着信検出部１０２からの着信通知を待つ。
ステップ２０２において、着信通知がある場合には、着信音量制御部１０１では、マイクロフォン１０３の検出音圧が音圧サンプルデータよりも小さいか否かを判断する。
ステップ２０３において、着信音量制御部１０１では、マイクロフォン１０３の検出音圧が音圧サンプルデータよりも小さい場合には振動センサ１０４の検出振動が振動サンプルデータよりも小さいか否かを判断する。
【００２８】
ステップ２０４において、着信音量制御部１０１では、振動センサ１０４の検出振動が振動サンプルデータよりも小さい場合には、着信音量制御部１０１では、着信音量を小の状態から大の状態に徐々にスピーカ１０５の鳴動を制御し処理を終了する。
このようにして、携帯電話機の周囲が静かであっても、携帯せず放置してある状態が認識されると、使用者が近くに居ないことを考慮して、着信通知後直ちにスピーカ１０５の着信音量を徐々に上げていくので、着信通知に気づくまでに時間がかからなくなる。
【００２９】
ステップ２０５において、着信音量制御部１０１では、マイクロフォン１０３の検出音圧が音圧サンプルデータと等しいか又は大きい場合には、着信音量を大の状態にスピーカ１０５の鳴動を制御し処理を終了する。
このようにして、携帯電話機の周囲の音圧が大きく、騒音が大きい場合には、使用者が近くに居ても居なくても着信通知後、直ちにスピーカ１０５の着信音量を大の状態とし、着信通知に気づかせる。
【００３０】
ステップ２０６において、着信音量制御部１０１では、振動センサ１０４の検出振動が振動サンプルデータと等しいか又は大きい場合には、着信音量を小の状態にスピーカ１０５の鳴動を制御し処理を終了する。
このようにして、携帯電話機の周囲が静かで、携帯されている状態が認識されると、使用者が近くに居ることを考慮して、着信通知後、直ちにスピーカ１０５の着信音量を小の状態とし、着信通知に気づかせる。
【産業上の利用可能性】
【００３１】
以上、携帯電話機について説明を行ったが、これに限らず、ＰＨＳ（簡易携帯電話機）、ページャのように携帯される装置であって着信音により着信を通知する装置に本発明の利用が可能である。
【図面の簡単な説明】
【００３２】
【図１】本発明に係る携帯電話機の着信通知システムの概略構成を示すブロック図である。
【図２】マイクロフォン１０３の検出音圧に対する着信音量制御部１０１の動作例を説明するタイムチャートである。
【図３】マイクロフォン１０３の検出振動が小さい場合の着信音量制御部１０１の動作例を説明するタイムチャートである。
【図４】マイクロフォン１０３の検出振動が大きい場合の着信音量制御部１０１の動作例を説明するタイムチャートである。
【図５】着信音量制御部１０１の一連の動作例を説明するフローチャートである。
【符号の説明】
【００３３】
１０１…着信音量制御部
１０２…着信検出部
１０３…マイクロフォン
１０４…振動センサ
１０５…スピーカ
１１１…音圧サンプルデータ保持部
１１２…振動サンプルデータ保持部
１１３…音圧比較部
１１４…振動比較部
【図１】
2006325041.tif 000003
【図２】
2006325041.tif 000004
【図３】
2006325041.tif 000005
【図４】
2006325041.tif 000006
【図５】
2006325041.tif 000007